(57)【要約】【課題】画像データの表示をより多様に変化させることでユーザの目を惹きつけることが可能な画像表示装置、画像表示方法、及び画像表示プログラムを提供する。【解決手段】画像表示装置１は、音センサにより検知された周囲音の音量を取得し、取得した音量が閾値以下から閾値以上になるまでの時間間隔を判定し、判定した時間間隔に応じて画像データの表示態様を変化させる。【選択図】図３
2013195777.tif 000002
【特許請求の範囲】
【請求項１】
画像データを表示画面に表示させる画像表示装置であって、
音センサにより連続的に検知された周囲音の音量を連続的に取得する取得手段と、
前記取得手段により連続的に取得された前記音量が閾値以下から閾値以上になるまでの時間間隔、または前記音量が閾値以上から閾値以下になるまでの時間間隔を判定する判定手段と、
前記判定手段により判定された前記時間間隔に応じて画像データの表示態様を変化させる表示制御手段と、
を備えることを特徴とする画像表示装置。
【請求項２】
請求項１に記載の画像表示装置において、
前記表示制御手段は、前記取得手段により連続的に取得された前記音量が閾値以上になった場合に、前記画像データを切り替えることを特徴とする画像表示装置。
【請求項３】
請求項１又は２に記載の画像表示装置において、
複数の異なる時間範囲と、前記時間範囲毎に異なる画像データとを前記時間範囲毎に対応付けて記憶する記憶手段と、
前記表示制御手段は、前記判定手段により判定された前記時間間隔が含まれる前記時間範囲に対応付けられた前記画像データを前記記憶手段から取得して該画像データを表示させることを特徴とする画像表示装置。
【請求項４】
請求項１又は２に記載の画像表示装置において、
複数の異なる時間範囲と、前記時間範囲毎に異なる視覚効果であって画像データに与える視覚効果を示す情報とを前記時間範囲毎に対応付けて記憶する記憶手段を更に備え、
前記表示制御手段は、前記判定手段により判定された前記時間間隔が含まれる前記時間範囲に対応付けられた前記視覚効果を示す情報に基づいて前記画像データを表示させることを特徴とする画像表示装置。
【請求項５】
請求項１又は２に記載の画像表示装置において、
複数の異なる時間範囲と、前記時間範囲毎に異なる画像データと、前記時間範囲毎に異なる視覚効果であって画像データに与える視覚効果を示す情報とを前記時間範囲毎に対応付けて記憶する記憶手段を更に備え、
前記表示制御手段は、前記判定手段により判定された前記時間間隔が含まれる前記時間範囲に対応付けられた前記画像データを前記記憶手段から取得して該画像データを、前記判定手段により判定された前記時間間隔が含まれる前記時間範囲に対応付けられた前記視覚効果を示す情報に基づいて表示させることを特徴とする画像表示装置。
【請求項６】
請求項１乃至５の何れか一項に記載の画像表示装置において、
音楽データを記憶する音楽データ記憶手段と、
前記記憶手段に記憶された音楽データを再生しスピーカを介して音として外部へ出力する出力手段と、
を更に備え、
前記取得手段は、前記出力手段により出力された音を含む前記周囲音の音量を連続的に取得することを特徴とする画像表示装置。
【請求項７】
画像データを表示画面に表示させるコンピュータにより行われる画像表示方法であって、
音センサにより連続的に検知された周囲音の音量を連続的に取得するステップと、
連続的に取得された前記音量が閾値以下から閾値以上になるまでの時間間隔、または前記音量が閾値以上から閾値以下になるまでの時間間隔を判定するステップと、
前記判定された前記時間間隔に応じて画像データの表示態様を変化させるステップと、
を含むことを特徴とする画像表示方法。
【請求項８】
画像データを表示画面に表示させるコンピュータに、
音センサにより連続的に検知された周囲音の音量を連続的に取得するステップと、
連続的に取得された前記音量が閾値以下から閾値以上になるまでの時間間隔、または前記音量が閾値以上から閾値以下になるまでの時間間隔を判定するステップと、
前記判定された前記時間間隔に応じて画像データの表示態様を変化させるステップと、
を実行させることを特徴とする画像表示プログラム。
【発明の詳細な説明】
【技術分野】
【０００１】
本発明は、周囲音に応じて表示画面に表示される画像データの表示態様を変化させる画像表示装置及び方法の技術に関する。
【背景技術】
【０００２】
従来から、画像データを切り替えながら表示するデジタルフォトフレームが知られている。従来のデジタルフォトフレームでは、画像データを記憶する記憶手段から、任意の画像データを選択して表示するようになっているが、一定の時間間隔で画像データを時系列あるいはランダムに表示する機能しか有しておらず、スライドショーにおける画像表示方法が単調であった。一方で、特許文献１には、単位時間毎に検出した一定時間の周囲音の音量のうち第１閾値以上の音量があれば、周囲に設置されたテレビ等から音声が出力されているものと判断し、スライドショーの画像切替間隔を通常の設定間隔より長くして再生することができるデジタルフォトフレームが開示されている。
【先行技術文献】
【特許文献】
【０００３】
【特許文献１】特開２０１０−２６１４２号公報
【発明の概要】
【発明が解決しようとする課題】
【０００４】
しかしながら、特許文献１の技術では、デジタルフォトフレーム本来のスライドショー機能のパフォーマンスを下げてしまうという問題がある。今後、画像データの表示パフォーマンスを今まで以上に向上させ、ユーザの目を惹きつけることができるデジタルフォトフレームの開発が望まれる。
【０００５】
そこで、本発明は、上記点等に鑑みてなされたものであり、画像データの表示をより多様に変化させることでユーザの目を惹きつけることが可能な画像表示装置、画像表示方法、及び画像表示プログラムを提供することを目的とする。
【課題を解決するための手段】
【０００６】
上記課題を解決するために、請求項１に記載の発明は、画像データを表示画面に表示させる画像表示装置であって、音センサにより連続的に検知された周囲音の音量を連続的に取得する取得手段と、前記取得手段により連続的に取得された前記音量が閾値以下から閾値以上になるまでの時間間隔、または前記音量が閾値以上から閾値以下になるまでの時間間隔を判定する判定手段と、前記判定手段により判定された前記時間間隔に応じて画像データの表示態様を変化させる表示制御手段と、を備えることを特徴とする。
【０００７】
請求項２に記載の発明は、請求項１に記載の画像表示装置において、前記表示制御手段は、前記取得手段により連続的に取得された前記音量が閾値以上になった場合に、前記画像データを切り替えることを特徴とする。
【０００８】
請求項３に記載の発明は、請求項１又は２に記載の画像表示装置において、複数の異なる時間範囲と、前記時間範囲毎に異なる画像データとを前記時間範囲毎に対応付けて記憶する記憶手段と、前記表示制御手段は、前記判定手段により判定された前記時間間隔が含まれる前記時間範囲に対応付けられた前記画像データを前記記憶手段から取得して該画像データを表示させることを特徴とする。
【０００９】
請求項４に記載の発明は、請求項１又は２に記載の画像表示装置において、複数の異なる時間範囲と、前記時間範囲毎に異なる視覚効果であって画像データに与える視覚効果を示す情報とを前記時間範囲毎に対応付けて記憶する記憶手段を更に備え、前記表示制御手段は、前記判定手段により判定された前記時間間隔が含まれる前記時間範囲に対応付けられた前記視覚効果を示す情報に基づいて前記画像データを表示させることを特徴とする。
【００１０】
請求項５に記載の発明は、請求項１又は２に記載の画像表示装置において、複数の異なる時間範囲と、前記時間範囲毎に異なる画像データと、前記時間範囲毎に異なる視覚効果であって画像データに与える視覚効果を示す情報とを前記時間範囲毎に対応付けて記憶する記憶手段を更に備え、前記表示制御手段は、前記判定手段により判定された前記時間間隔が含まれる前記時間範囲に対応付けられた前記画像データを前記記憶手段から取得して該画像データを、前記判定手段により判定された前記時間間隔が含まれる前記時間範囲に対応付けられた前記視覚効果を示す情報に基づいて表示させることを特徴とする。
【００１１】
請求項６に記載の発明は、請求項１乃至５の何れか一項に記載の画像表示装置において、音楽データを記憶する音楽データ記憶手段と、前記記憶手段に記憶された音楽データを再生しスピーカを介して音として外部へ出力する出力手段と、を更に備え、前記取得手段は、前記出力手段により出力された音を含む前記周囲音の音量を連続的に取得することを特徴とする。
【００１２】
請求項７に記載の発明は、画像データを表示画面に表示させるコンピュータにより行われる画像表示方法であって、音センサにより連続的に検知された周囲音の音量を連続的に取得するステップと、連続的に取得された前記音量が閾値以下から閾値以上になるまでの時間間隔、または前記音量が閾値以上から閾値以下になるまでの時間間隔を判定するステップと、前記判定された前記時間間隔に応じて画像データの表示態様を変化させるステップと、を含むことを特徴とする。
【００１３】
請求項８に記載の画像表示プログラムの発明は、画像データを表示画面に表示させるコンピュータに、音センサにより連続的に検知された周囲音の音量を連続的に取得するステップと、連続的に取得された前記音量が閾値以下から閾値以上になるまでの時間間隔、または前記音量が閾値以上から閾値以下になるまでの時間間隔を判定するステップと、前記判定された前記時間間隔に応じて画像データの表示態様を変化させるステップと、を実行させることを特徴とする。
【発明の効果】
【００１４】
本発明によれば、画像表示装置は、音センサにより検知された周囲音の音量を取得し、取得した音量が閾値以下から閾値以上になるまでの時間間隔、または前記音量が閾値以上から閾値以下になるまでの時間間隔を判定し、判定した時間間隔に応じて画像データの表示態様を変化させるように構成したので、画像データの表示をより多様に変化させることでユーザの目を惹きつけることができる。
【図面の簡単な説明】
【００１５】
【図１】（Ａ）は、本実施形態に係る画像表示装置の概要構成例を示す図である。（Ｂ）は、時間範囲別情報テーブルに登録された情報の一例を示す図である。（Ｃ）は、夫々のスライドショー効果の内容（表示方法）を示す図である。
【図２】実施例１において、画像表示装置１のマイコン１４３における画像表示処理を示すフローチャートである。
【図３】周囲音の音量と経過時間との関係等を示す図である。
【図４】実施例２において、画像表示装置１のマイコン１４３における画像表示処理を示すフローチャートである。
【発明を実施するための形態】
【００１６】
以下、図面を参照して本発明の実施形態について詳細に説明する。
【００１７】
先ず、図１等を参照して、本発明の一実施形態に係る画像表示装置の構成及び機能について説明する。
【００１８】
図１（Ａ）は、本実施形態に係る画像表示装置の概要構成例を示す図である。図１（Ａ）に示すように、画像表示装置１は、操作部１０、音センサ１１、表示部１２、記憶部１３、制御部１４、及びスピーカ１５等を含んで構成される。なお、音センサ１１は、画像表示装置１外に単独で備えられてもよい。記憶部１３は、本発明における記憶手段及び音楽データ記憶手段の一例である。画像表示装置１には、例えば、デジタルフォトフレーム、パーソナルコンピュータ、携帯電話機やスマートフォン等の携帯端末等を適用可能である。
【００１９】
操作部１０は、ユーザからの操作指示を受け付け、当該操作指示に応じた信号を制御部１４へ出力する。
【００２０】
音センサ１１は、音を電気信号等に変換するセンサであり、例えば音圧を測定するマイクロホンなどが適用可能である。音センサ１１は、画像表示装置１の周囲音を連続的に検知し、検知した音情報を制御部１４へ出力する。
【００２１】
表示部１２は、例えば液晶ディスプレイを備え、制御部１４から出力された画像データをディスプレイの表示画面に表示する。
【００２２】
記憶部１３は、例えばフラッシュメモリ等を備え、複数の異なる画像データが所定のファイル形式（例えば、ＪＰＥＧファイル等）で記憶されている。画像データは、例えば撮影された写真の画像データであり、撮影日時が付与されている。また、記憶部１３には、複数の異なる音楽データが所定のファイル形式（例えばＷＡＶ形式やＭＰ３形式）で記憶される。音楽データは、例えば楽曲のデータやＢＧＭのデータ等である。
【００２３】
制御部１４は、作業用の揮発性メモリ（ＲＡＭ），不揮発性メモリ（ＲＯＭやフラッシュメモリ）等の内部メモリ１４１、表示処理部１４２、及びＣＰＵ等からなるマイコン１４３等から構成される。内部メモリ１４１における不揮発性メモリには、各種データ及びプログラムを記憶する。このプログラムには、本発明の画像表示プログラムが含まれる。また、内部メモリ１４１には、複数の異なる時間範囲毎に情報を登録する時間範囲別情報テーブルが記憶されている。図１（Ｂ）は、時間範囲別情報テーブルに登録された情報の一例を示す図である。図１（Ｂ）に示す例では、複数の異なる時間範囲と、時間範囲毎に異なる視覚効果（エフェクト）を示す情報と、時間範囲毎に異なる画像データのファイル名（或いはファイルのパス（記憶部１３における記憶場所）でもよい）と、時間範囲毎に異なる撮影時期と、が対応付けられて登録されている。ここで、視覚効果とは、画像データに与える視覚効果（以下、「スライドショー効果」という）である。図１（Ｃ）は、夫々のスライドショー効果の内容（表示方法）を示す図である。なお、図１（Ｃ）に示すスライドショー効果の他にも、例えば、クロール、ビットブリット、ターン、αブレンド、フェードイン／フェードアウト、ズーム、３Ｄエフェクト等が挙げられる。また、図１（Ｂ）に示す例では、時間範囲として、「２秒未満」、「２秒以上３秒未満」、「３秒以上４秒未満」、「５秒以上」の４つに区分されているが、３つ以下に区分してもよいし、５つ以上に区分してもよい。「２〜３秒」の時間範囲には、スライドショー効果を示す情報として、ブラインドとチェッカーワイプとが対応付けられている。また、「２〜３秒」の時間範囲には、７月〜９月の間に撮影された写真の画像データが対応付けられている。なお、時間範囲別情報テーブルは、複数の異なる時間範囲と時間範囲毎に異なるスライドショー効果を示す情報だけが対応付けられたテーブルであってもよいし、複数の異なる時間範囲と時間範囲毎に異なる画像データのファイル名だけが対応付けられたテーブルであってもよい。
【００２４】
表示処理部１４２は、マイコン１４３により記憶部１３から取得された（呼び出された）画像データの描画処理を行って表示部１２の表示画面に画像データを表示させる。マイコン１４３は、本発明の画像表示プログラムを実行することにより、本発明の取得手段、判定手段、表示制御手段、及び出力手段として機能する。具体的には、マイコン１４３は、音センサ１１により連続的に検知された周囲音の音量を連続的に取得（音センサ１１から出力された音情報から取得）し、取得した音量が閾値以下から閾値以上になるまでの時間間隔を判定する。この時間間隔は、検知された周囲音の音量が閾値以下から閾値以上になるまで何秒間経過したかを示す。また、閾値は、予めプログラム上で設定されてもよいし、ユーザが操作部１０から任意に設定できるように構成してもよい。そして、マイコン１４３は、判定した時間間隔に応じて画像データの表示態様を変化させる。例えば、マイコン１４３は、上述した時間範囲別情報テーブルに基づいて、時間間隔に応じて異なる（例えば、時間間隔が１秒の場合と３秒の場合とで異なる）スライドショー効果で画像データを表示させたり、時間間隔に応じて異なる画像データを表示させたりすることで、時間間隔に応じて画像データの表示態様を変化させる。ここで、「異なる画像データ」には、例えば、表示内容が異なる画像データ、或いは撮影時期が異なる画像データ等が該当する。
【００２５】
また、マイコン１４３は、記憶部１３から音楽データを取得して（呼び出して）再生しスピーカ１５を介して音として外部へ出力する機能を有する（音声処理回路（アンプ含む）は別に設けてもよい）。この場合、スピーカ１５から出力された音（音楽）は周囲音として検知される。その結果、音楽の音量が閾値以下から閾値以上になるまでの時間間隔が判定され、該時間間隔に応じて画像データの表示態様が変化されることになる。
【００２６】
次に、本実施形態に係る画像表示装置１の動作について、実施例１と実施例２に分けて説明する。
【００２７】
（実施例１）
先ず、図２及び図３を参照して、実施例１について説明する。図２は、実施例１において、画像表示装置１のマイコン１４３における画像表示処理を示すフローチャートである。図３は、周囲音の音量と経過時間との関係等を示す図である。
【００２８】
図２に示す処理は、例えばユーザが操作部１０を操作して画像表示開始指示を行った場合に開始される。この画像表示処理開始以降、例えばマイコン１４３により経過時間が計測される。計測される経過時間は、上述した時間間隔の判定に用いられる。
【００２９】
なお、例えばユーザが操作部１０を操作して所望の音楽（例えば、所望のアーティストの楽曲、またはＢＧＭ）を選曲することにより、図２に示す処理が開始されるように構成してもよい。この場合、マイコン１４３は、ユーザにより選曲された音楽の音楽データを記憶部１３から取得して再生しスピーカ１５を介して音として外部へ出力することになる。
【００３０】
図２に示すステップＳ１では、マイコン１４３は、音センサ１１により検知された周囲音の音量を取得する。この音量は、瞬時値であってもよいし、例えば所定の時間帯（例えば、数十ｍｓ〜数百ｍｓ）に複数回検知された周囲音の音量の平均値等であってもよい。
次いで、マイコン１４３は、ステップＳ１で取得した音量が閾値以上であるか否かを判定する（ステップＳ２）。そして、マイコン１４３は、音量が閾値以上であると判定した場合には（ステップＳ２：ＹＥＳ）、ステップＳ３に進む一方、音量が閾値以上でないと判定した場合には（ステップＳ２：ＮＯ）、ステップＳ１に戻る。
【００３１】
ステップＳ３では、マイコン１４３は、記憶部１３から画像データを取得する。ここで取得される画像データは、記憶部１３から例えばランダムに選択されてもよいし、登録された順に選択されてもよい。
【００３２】
次いで、マイコン１４３は、取得した画像データを表示処理部１４２により表示部１２の表示画面に表示させる（ステップＳ４）。なお、ステップＳ４の処理前に、表示画面に画像データが既に表示されている場合には、ステップＳ４の処理で画像データが切り替えられる。例えば、図３に示すように、音量が閾値以下から閾値以上になる度に、画像データが切り換えられる（画像データ1→画像データ2→画像データ3に切り替えられる）。
【００３３】
次いで、マイコン１４３は、上記ステップＳ１で取得した音量が閾値以下から閾値以上になるまでの時間間隔を判定する（ステップＳ５）。ステップＳ５の初回（つまり、画像表示処理開始直後）の判定では、画像表示処理開始による経過時間の計測開始時点から、周囲音の音量が閾値以上（つまり、計測開始直後の閾値以下の状態から閾値以上）になるまでの時間間隔が判定される。或いは、ステップＳ５の初回の判定では、時間間隔を判定しないように構成してもよく、この場合、ステップＳ１に戻る。一方、その後のステップＳ５の判定では、周囲音の音量が前回閾値以下になった時点から閾値以上になるまでの時間間隔（図３に示す時間間隔α、時間間隔β）が判定される。
【００３４】
次いで、マイコン１４３は、内部メモリ１４１に記憶された時間範囲別情報テーブルを参照して、ステップＳ５で判定された時間間隔が含まれる時間範囲に対応付けられたスライドショー効果を示す情報を取得する（ステップＳ６）。つまり、時間間隔に応じたスライドショー効果が選択される。例えば、判定された時間間隔が２．１秒であれば、「２秒以上３秒未満」の時間範囲に含まれるので、当該時間範囲に対応付けられたスライドショー効果を示す情報が内部メモリ１４１から選択、取得される（呼び出される）。なお、図１（Ｂ）に示す時間範囲別情報テーブルには、スライドショー効果として、ブラインドとチェッカーワイプが登録されているが、この場合、例えば、何れか一方がランダムに選択されるか、或いは双方選択され順番に用いられる。
【００３５】
次いで、マイコン１４３は、ステップＳ６で取得されたスライドショー効果を示す情報に基づいて画像データを表示させる（ステップＳ７）。例えば、画像データにブラインドやチェッカーワイプのスライドショー効果が与えられつつ表示される。このスライドショー効果に基づく表示は、次回のステップＳ６まで継続される。こうして、図３に示すように、時間間隔に応じて異なるスライドショー効果で画像データが表示されることになる。すなわち、時間間隔に応じて画像データの表示態様が変化する。
【００３６】
次いで、マイコン１４３は、画像表示処理を終了するか否かを判定する（ステップＳ８）。例えばユーザから操作部１０を介して終了指示があった場合に（ステップＳ８：ＹＥＳ）、画像表示処理は終了する。一方、画像表示処理が終了されない場合（ステップＳ８：ＮＯ）、ステップＳ１に戻る。
【００３７】
なお、上記画像表示処理においては、周囲音の音量が閾値以上になった場合に、画像データを切り替えるように構成したが、画像データを切り替えないように構成してもよい。この場合、上記ステップＳ２で音量が閾値以上であると判定されると（ステップＳ２：ＹＥＳ）、ステップＳ５に進み、画像データはそのままでスライドショー効果だけが変わる場合もある。
【００３８】
（実施例２）
次に、図４を参照して、実施例２について説明する。図４は、実施例２において、画像表示装置１のマイコン１４３における画像表示処理を示すフローチャートである。
【００３９】
図４に示す処理は、図２に示す処理と同様に開始され、ステップＳ１１、Ｓ１２、Ｓ１３、及びＳ１６の処理は、それぞれ、ステップＳ１、Ｓ２、Ｓ５、及びＳ８と同様であるので説明を省略する。
【００４０】
図４に示すステップＳ１４では、マイコン１４３は、内部メモリ１４１に記憶された時間範囲別情報テーブルを参照して、ステップＳ１３で判定された時間間隔が含まれる時間範囲に対応付けられた画像データを取得する。つまり、時間間隔に応じた画像データが選択される。例えば、判定された時間間隔が２．１秒であれば、「２秒以上３秒未満」の時間範囲に含まれるので、当該時間範囲に対応付けられた撮影時期が７月〜９月の間の画像データが記憶部１３から選択、取得される（例えば、画像データのファイル名に基づき呼び出される）。
【００４１】
次いで、マイコン１４３は、ステップＳ１４で取得した画像データを表示処理部１４２により表示部１２の表示画面に表示させる（ステップＳ１５）。
【００４２】
なお、上記ステップＳ１４及びＳ１５において、マイコン１４３は、内部メモリ１４１に記憶された時間範囲別情報テーブルを参照して、ステップＳ１３で判定された時間間隔が含まれる時間範囲に対応付けられた画像データを取得して該画像データを、ステップＳ１３で判定された時間間隔が含まれる時間範囲に対応付けられたスライドショー効果を示す情報に基づいて表示させるように構成すればより効果的である。
【００４３】
以上説明したように、上記実施形態によれば、画像表示装置１は、音センサ１１により検知された周囲音の音量を取得し、取得した音量が閾値以下から閾値以上になるまでの時間間隔を判定し、判定した時間間隔（長さ）に応じて画像データの表示態様を変化させるように構成したので、画像データの表示をより多様に変化させることでユーザの目を惹きつけることができる。例えば、時間間隔に応じて異なるスライドショー効果で画像データを表示させたり、時間間隔に応じて撮影時期が異なる画像データを表示させたりするといった新たな表示方法を実現することができる。
【００４４】
また、上記実施形態によれば、音を鳴らすだけでページが切り替わるため操作が容易であり、音が検知できる範囲であれば設置場所を限定せず、簡易な構成のため機器の小型化に対応でき、ユーザに必要な動作が少ない等といった効果もある。
【００４５】
更に、上記実施形態では、ユーザが単純に音を鳴らす（手を叩く、発声する等）行為での画像データを切り替え等ができるが、上述したように、音楽データを再生しスピーカ１５を介して音として外部へ出力する構成によれば、スピーカ１５から出力された音（音楽）の音量が閾値以下から閾値以上になるまでの時間間隔が判定され、該時間間隔に応じて画像データの表示態様が変化する。そのため、例えば、再生された楽曲やＢＧＭ等の音の強弱（抑揚）の長さに応じて、画像データの表示態様が変化するといった新しいスライドショー再生機能を提供することができる。
【００４６】
なお、上記実施形態においては、周囲音の音量が閾値以下から閾値以上になるまでの時間間隔を判定するように構成したが、これに代えて、周囲音の音量が閾値以上から閾値以下になるまでの時間間隔（例えば、周囲音の音量が前回閾値以上になった時点から閾値以下になるまでの時間間隔）を判定するように構成してもよい。この構成の場合も、マイコン１４３は、上記実施形態と同様、判定した時間間隔に応じて画像データの表示態様を変化させる。
【００４７】
また、上記実施形態においては、マイコン１４３は、時間間隔によって、選択するスライドショー効果や画像データを制御するように構成したが、時間間隔によって、その他の要素を制御するように構成してもよい。
【符号の説明】
【００４８】
１  画像表示装置
１０  操作部
１１  音センサ
１２  表示部
１３  記憶部
１４  制御部
１５  スピーカ
１４１  内部メモリ
１４２  表示処理部
１４３  マイコン
【図１】
2013195777.tif 000003
【図２】
2013195777.tif 000004
【図３】
2013195777.tif 000005
【図４】
2013195777.tif 000006